(57)【要約】【課題】  フレームメモリ数の増加を抑えながらも、オーバードライブ精度をさらに向上させることが可能な液晶表示技術を提供する。【解決手段】  複数のフレームデータを含む映像信号データを入力し、表示対象のフレームを示すフレームデータを、当該フレームに隣接するフレームのフレームデータに基づいて補正して、液晶パネルの表示用データとして出力する表示装置は、入力されたフレームデータをメモリ手段に格納し、メモリ手段に格納されたフレームデータと、現に入力しているフレームデータとを比較して、フレームの補正量を決定するための補正アドレスを決定し、メモリ手段に格納されたフレームデータと、補正アドレスとに基づいて、該フレームデータの補正量を示す補正データを決定し、メモリ手段に格納されたフレームデータに対して、補正データが示す補正量を加減算して、該フレームデータを補正する。【選択図】  図１
2009300786.tif 000002
【特許請求の範囲】
【請求項１】
複数のフレームデータを含む映像信号データを入力し、表示対象のフレームを示すフレームデータを、当該フレームに隣接するフレームのフレームデータに基づいて補正して、液晶パネルの表示用データとして出力する、表示装置であって、
入力されたフレームデータを格納するメモリ手段と、
前記メモリ手段に格納されたフレームデータと、現に入力しているフレームデータとを比較して、フレームの補正量を決定するための補正アドレスを決定する補正アドレス決定手段と、
前記メモリ手段に格納されたフレームデータと、前記補正アドレスとに基づいて、該フレームデータの補正量を示す補正データを決定する補正データ決定手段と、
前記メモリ手段に格納されたフレームデータに対して、前記補正データが示す補正量を加減算して、該フレームデータを補正する補正手段と、
を備えることを特徴とする表示装置。
【請求項２】
前記補正アドレス決定手段は、前記メモリ手段に格納されたフレームデータを、フレームデータの入力と同じ速度で読み出して、前記比較を行い、
前記補正データ決定手段は、前記メモリ手段に格納されたフレームデータを、フレームデータの入力のｎ（＞１）倍速度で読み出して、前記補正データを決定する
ことを特徴とする請求項１に記載の表示装置。
【請求項３】
前記補正アドレス決定手段は、決定した前記補正アドレスを、現に入力しているフレームデータに付加して前記メモリ手段に格納させる
ことを特徴とする請求項１または２に記載の表示装置。
【請求項４】
前記補正アドレス決定手段は、互いに隣接するフレームデータと補正アドレスとの対応関係を示すルックアップテーブルを参照して、前記補正アドレスを決定する
ことを特徴とする請求項１から３のいずれか１項に記載の表示装置。
【請求項５】
前記補正データ決定手段は、フレームデータおよび補正アドレスと、補正データとの対応関係を示すルックアップテーブルを参照して、前記補正データを決定する
ことを特徴とする請求項１から４のいずれか１項に記載の表示装置。
【請求項６】
前記補正データ決定手段は、
フレームデータの代表値および補正アドレスと、補正データとの対応関係を示すルックアップテーブルを参照して、前記メモリ手段に格納されたフレームデータに最も近い２つの代表値と、前記補正アドレス決定手段において決定された補正アドレスとにそれぞれ対応する、第１補正データおよび第２補正データを取得し、当該第１補正データおよび第２補正データを補間して前記補正データを決定する
ことを特徴とする請求項１から４のいずれか１項に記載の表示装置。
【請求項７】
複数のフレームデータを含む映像信号データを入力し、表示対象のフレームを示すフレームデータを、当該フレームに隣接するフレームのフレームデータに基づいて補正して、液晶パネルの表示用データとして出力する、表示装置の制御方法であって、
入力されたフレームデータをメモリ手段に格納する格納工程と、
前記メモリ手段に格納されたフレームデータと、現に入力しているフレームデータとを比較して、フレームの補正量を決定するための補正アドレスを決定する補正アドレス決定工程と、
前記メモリ手段に格納されたフレームデータと、前記補正アドレスとに基づいて、該フレームデータの補正量を示す補正データを決定する補正データ決定工程と、
前記メモリ手段に格納されたフレームデータに対して、前記補正データが示す補正量を加減算して、該フレームデータを補正する補正工程と、
を有することを特徴とする表示装置の制御方法。
【請求項８】
コンピュータを請求項１から６のいずれか１項に記載の表示装置として機能させるためのプログラム。
【請求項９】
請求項８に記載のプログラムを格納したコンピュータ読み取り可能な記録媒体。
【発明の詳細な説明】
【技術分野】
【０００１】
本発明は、表示装置およびその制御方法、プログラム、記録媒体に関し、特に、入力映像信号の階調変化に応じて液晶応答速度を最適化する技術に関する。
【背景技術】
【０００２】
近年、ＴＶの受像機やＰＣの表示装置として液晶表示装置が使用されている。液晶表示装置は、薄型で省スペース、且つ省電力であるため幅広く採用されている。しかしながら、液晶表示装置は、入力される映像信号の変化から実際の表示までの液晶応答速度が長いため、動画を表示した場合に残像が発生する等の問題を有している。そこで、この液晶応答速度を改善するために、次のフレームで表示する映像信号と直前のフレームで表示した映像信号とを比較し、その比較結果に応じて入力映像信号を補正して液晶を駆動する、所謂オーバードライブ駆動が提案されている（特許文献１）。また、オーバードライブ駆動は、短期間に行うことによって液晶応答速度の改善効果がより大きく得られる。このため、例えば入力の１フレームを複数のフィールドに分割して駆動し、最初のフィールドに対してオーバードライブ駆動を行う構成が知られている（特許文献２）。
【０００３】
オーバードライブ駆動の原理について、図８，９を参照して簡単に説明する。図８は、入力映像信号と同一のフレームレイトでオーバードライブ駆動を行った場合の液晶駆動信号と液晶応答特性を例示する模式図である。また、図９は、入力映像信号のフレームレイトに対して２倍のフレームレイトに変換し、変換後の初めのフィールドでオーバードライブ駆動を行った場合の液晶駆動信号と液晶応答特性を例示する模式図である。
【０００４】
図８において、横軸は時間を示しており、縦軸は信号及びそれに対する応答のレベルを示している。８０１は、通常の液晶駆動信号の変化を示しており、８０２は、液晶駆動信号８０１に対する液晶応答を示している。８０３は、オーバードライブ駆動された液晶駆動信号の変化を示しており、８０４は、液晶駆動信号８０３に対する液晶応答を示している。液晶応答８０２，８０４を比較して分かるように、オーバードライブ駆動された液晶駆動信号に対する液晶応答は、液晶応答速度が向上している。
【０００５】
図９においても、横軸は時間を示しており、縦軸は信号及びそれに対する応答のレベルを示している。９０１は通常の液晶駆動信号の変化、９０２は液晶駆動信号９０１に対する液晶応答、９０３はオーバードライブ駆動された液晶駆動信号の変化、９０４は液晶駆動信号８０３に対する液晶応答をそれぞれ示している。液晶応答８０４，９０４を比較して分かるように、フレームレイトが２倍に変換されている図９においては、液晶応答速度がさらに向上している。
【０００６】
このように１フレームを複数のフィールドに分割し、最初のフィールドに対してオーバードライブ駆動を行う構成は、反射型液晶表示パネル（ＬＣＯＳ：Liquid Crystal On Silicon）の駆動方法と親和性がある。反射型液晶表示パネルは、入力信号のフレームレイトを２倍のフレームレイトに変換し、該倍速のフレーム信号に対して倍速フレーム毎に極性反転を行うためである。
【０００７】
ところで入力信号を２倍のフレームレイトに変換（倍速変換）するためには１フレーム分の映像信号をフレームメモリに格納し、２倍速で読み出す必要がある。また、液晶応答速度を改善するためのオーバードライブ駆動を行うためには、現フレームの映像信号と１フレーム前の映像信号とを比較するために１フレーム前の映像信号をフレームメモリに格納する必要がある。つまり、それぞれの処理ブロックでフレームメモリが必要となり、各ブロックでフレームメモリを個別に備えることは、フレームメモリ及びその制御手段の規模が大きく制御が煩雑なものとなってしまう。
【０００８】
そこで、本出願人は倍速変換用のフレームメモリとオーバードライブ駆動用のフレームメモリを共通化し、さらにメモリ構成及びその制御を煩雑化せずに液晶応答速度特性の向上が可能な液晶表示装置を提案した（特許文献３）。
【０００９】
特許文献３記載の構成では、まずフレームメモリに格納されている１フレーム前の映像信号データを入力映像信号のフレームレイトと同一レイトで読み出す。１フレーム前の映像信号データと入力映像信号データとで信号レベルの比較を行い、比較結果を例えば４ビットの補正データとして出力する。入力映像信号データが１２ビットであった場合、入力映像信号データのＭＳＢあるいはＬＳＢに前記４ビットの補正データを付加した１６ビットのデータとして倍速変換用のフレームメモリへ出力する。そして、倍速変換後の１６ビットのデータから、ＭＳＢあるいはＬＳＢに付加した４ビットの補正データを参照し、この補正データに基づいて応答速度を補正した１２ビットの映像信号データを生成する。
【００１０】
これによって、倍速変換用のフレームメモリとオーバードライブ駆動用のフレームメモリを共通化し、さらにメモリ構成及びその制御を煩雑化せずに液晶応答速度特性の向上を可能としている。
【特許文献１】特許第３３０５２４０号公報
【特許文献２】特開２００１−３４３９５６号公報
【特許文献３】特開２００８−７０５６１号公報
【発明の開示】
【発明が解決しようとする課題】
【００１１】
特許文献３記載の構成においては、オーバードライブ精度をさらに向上させるためにオーバードライブに必要な補正データのビット数を増加させると、必要なフレームメモリ数も増加する。
【００１２】
本発明の目的は、オーバードライブ駆動のための映像信号レベルの比較を行う構成において、フレームメモリ数の増加を抑えながらも、オーバードライブ精度をさらに向上させることが可能な液晶表示技術を提供することである。
【課題を解決するための手段】
【００１３】
上記目的を達成するため、本発明による表示装置は以下の構成を備える。即ち、
複数のフレームデータを含む映像信号データを入力し、表示対象のフレームを示すフレームデータを、当該フレームに隣接するフレームのフレームデータに基づいて補正して、液晶パネルの表示用データとして出力する、表示装置であって、
入力されたフレームデータを格納するメモリ手段と、
前記メモリ手段に格納されたフレームデータと、現に入力しているフレームデータとを比較して、フレームの補正量を決定するための補正アドレスを決定する補正アドレス決定手段と、
前記メモリ手段に格納されたフレームデータと、前記補正アドレスとに基づいて、該フレームデータの補正量を示す補正データを決定する補正データ決定手段と、
前記メモリ手段に格納されたフレームデータに対して、前記補正データが示す補正量を加減算して、該フレームデータを補正する補正手段と、
を備える。
【００１４】
また、本発明による表示装置の制御方法は以下の構成を有する。即ち、
複数のフレームデータを含む映像信号データを入力し、表示対象のフレームを示すフレームデータを、当該フレームに隣接するフレームのフレームデータに基づいて補正して、液晶パネルの表示用データとして出力する、表示装置の制御方法であって、
入力されたフレームデータをメモリ手段に格納する格納工程と、
前記メモリ手段に格納されたフレームデータと、現に入力しているフレームデータとを比較して、フレームの補正量を決定するための補正アドレスを決定する補正アドレス決定工程と、
前記メモリ手段に格納されたフレームデータと、前記補正アドレスとに基づいて、該フレームデータの補正量を示す補正データを決定する補正データ決定工程と、
前記メモリ手段に格納されたフレームデータに対して、前記補正データが示す補正量を加減算して、該フレームデータを補正する補正工程と、
を有する。
【発明の効果】
【００１５】
本発明によれば、オーバードライブ駆動のための映像信号レベルの比較を行う構成において、フレームメモリ数の増加を抑えながらも、オーバードライブ精度をさらに向上させることが可能な液晶表示技術を提供することができる。
【発明を実施するための最良の形態】
【００１６】
以下、添付図面を参照して本発明に係る実施の形態を詳細に説明する。ただし、この実施の形態に記載されている構成要素はあくまでも例示であり、本発明の範囲をそれらのみに限定する趣旨のものではない。また、本実施の形態で説明されている特徴の組み合わせの全てが発明の解決手段に必須のものとは限らない。
【００１７】
＜＜第１の実施形態＞＞
（液晶表示装置の構成）
図１は、本発明の第１の実施形態である液晶表示装置の概略ブロック図である。この液晶表示装置は、複数のフレームデータを含む映像信号データを入力し、表示対象のフレームを示すフレームデータを、当該フレームに隣接するフレームのフレームデータに基づいて補正して、液晶パネルの表示用データとして出力する。１０はメモリ部、２０は補正アドレス決定部、３０はメモリ制御部、４０は補正データ決定部、５０は補正処理部、６０は補正アドレス付加部である。
【００１８】
本構成において、メモリ部１０は映像信号データ（に含まれるフレームデータ）を格納するメモリ手段としての機能要素である。メモリ部１０は、例えば、ＤＤＲ−ＳＤＲＡＭ（Ｄｏｕｂｌｅ  Ｄａｔａ  Ｒａｔｅ−Ｓｙｎｃｈｒｏｎｏｕｓ  ＤＲＡＭ）やＳＤＲ−ＳＤＲＡＭ（Ｓｉｎｇｌｅ  Ｄａｔａ  Ｒａｔｅ−Ｓｙｎｃｈｒｏｎｏｕｓ  ＤＲＡＭ）等で実現することができる。
【００１９】
メモリ制御部３０は、メモリ部１０の読み出しと書き込み処理を制御する機能要素である。メモリ制御部３０は、メモリ部１０に格納されている１フレーム前の映像信号データＤin-1を入力映像信号データＤinのフレームレイトと同一レイトで読み出し、補正アドレス決定部２０へと出力する。
【００２０】
補正アドレス決定部２０は、補正アドレス決定部２０は、メモリ部１０に格納されたフレームデータと、現に入力しているフレームデータとを比較して、フレームの補正量を決定するための補正アドレスを決定する機能要素である。補正アドレス決定部２０は、メモリ制御部３０で読み出した、１フレーム前の映像信号データＤin-1（例えば１２ビット）と、同じく１２ビットの入力映像信号データＤinとの信号レベル比較を行う。そして、比較結果を例えば４ビットの補正アドレスとして、補正アドレス付加部６０へと出力する。なお、後述するように、補正アドレス決定部２０は、メモリ部１０に格納されたフレームデータを、フレームデータの入力と同じ速度で読み出して、上記の比較を行う。
【００２１】
補正アドレス付加部６０では、１２ビットの入力映像信号データＤinのＭＳＢあるいはＬＳＢに前記４ビットの補正アドレスを付加した１６ビットのデータとしてメモリ制御部３０へ出力する。すなわち、補正アドレス決定部２０において決定された補正アドレスを、現に入力しているフレームデータに付加してメモリ部１０に格納させる。
【００２２】
メモリ制御部３０は、補正アドレス付加部６０から出力される１６ビットのデータをメモリ部１０へ書き込む。そして、格納されている１６ビットのデータを、例えば入力映像信号の２倍のフレームレイトに変換（倍速変換）し、補正データ決定部４０、及び補正処理部５０へ出力する。
【００２３】
補正データ決定部４０は、メモリ部１０に格納されたフレームデータと、補正アドレスとに基づいて、該フレームデータの補正量を示す補正データを決定する機能要素である。具体的には、メモリ制御部３０から出力された１６ビットのデータに基づいて、オーバードライブ補正処理で使用するための例えば１２ビットの補正データを生成する。そして、生成した補正データを補正処理部５０へ出力する。なお、補正データ決定部４０は、メモリ部１０に格納されたフレームデータを、フレームデータの入力のｎ（＞１）倍速度で読み出して、補正データを決定する。
【００２４】
補正処理部５０は、メモリ部１０に格納されたフレームデータに対して、補正データが示す補正量を加減算して、該フレームデータを補正する機能要素である。補正データ決定部４０から出力される１２ビットの補正データを参照する。そして、メモリ制御部３０から出力される１６ビットのデータのうちの１２ビットの映像信号データに対して、応答速度を補正した１２ビットの出力映像信号データＤoutを生成して出力する。その後、出力映像信号データＤoutは、液晶パネルの入力に適した形式へと変換される。
【００２５】
（メモリ制御部の動作）
次に、本実施形態における、メモリ制御部３０の動作について、図２及び図３を用いて説明する。図２は、フレーム期間におけるメモリ部１０の書き込み、読み出し動作を説明するタイミング図である。図２では、入力映像信号の２倍のフレームレイトに変換（倍速変換）し、出力する場合が例示されている。
【００２６】
なお、本実施形態に係るメモリ部１０は、図示しない第１フレームメモリ１０ａと第２フレームメモリ１０ｂを備えている。フレームＦnでは第１フレームメモリ１０ａの書き込み制御がアクティブとなり、メモリ制御部３０へ入力された信号データは、第１フレームメモリ１０ａに図２（ａ）で示すように書き込まれる（２０１）。第１フレームメモリ１０ａに書き込まれる信号データは、補正アドレス決定部２０で決定した補正アドレスがＭＳＢあるいはＬＳＢに付加されたデータである。
【００２７】
一方、フレームＦnについては、第２フレームメモリ１０ｂは書き込み動作を行わない。第２フレームメモリ１０ｂでは、１フレーム前のＦn-1で格納された信号データのうち、映像信号データの読み出しを図２（ｅ）に示すように、入力映像信号データＤinと同一レイトで行う（等倍読み出し、２０２）。入力映像信号データＤinと同一レイトで読み出された映像信号データは、１フレーム前の映像信号データＤin-1として、補正アドレス決定部２０へ出力され、入力映像信号データＤinとの信号レベル比較に利用される。
【００２８】
さらに第２フレームメモリ１０ｂは、１フレーム前のＦn-1で格納された信号データの読み出しを図２（ｆ）に示すように、入力映像信号の２倍のフレームレイトで行なう（倍速読み出し、２０３）。そして倍速で読み出したフレームを、補正データ決定部４０、及び補正処理部５０へ出力する（２０３）。ここで、入力映像信号の２倍のフレームレイトで読み出す信号データは、補正アドレス決定部２０で決定された補正アドレスがＭＳＢあるいはＬＳＢに付加されたデータである。
【００２９】
同様に、次のフレームＦn+1では第２フレームメモリ１０ｂの書き込み制御がアクティブとなり、映像信号データは、第２フレームメモリ１０ｂに図２（ｄ）で示すように書き込まれる（２０５）。一方、第１フレームメモリ１０ａは書き込み動作を行わず、前フレームＦnで格納された映像信号データの読み出しを図２（ｂ）に示すように入力映像信号Ｄinと同一レイトで行う（２０６）と共に図２（ｃ）に示すように２倍のレイトで行う（２０７）。
【００３０】
ここで、図２（ｂ）に示すように入力映像信号Ｄinと同一レイトで読み出された映像信号データ（２０６）は、前フレームデータとして補正アドレス決定部２０において現フレームデータである入力映像信号データＤinとの比較に利用される。また、第２フレームメモリ１０ｂに書き込まれる映像信号データは、補正アドレス決定部２０で決定された補正アドレスがＭＳＢあるいはＬＳＢに付加されたデータである。
【００３１】
映像信号データの書き込み、読み出しの詳細について、図３を参照して更に説明する。図３は、フレームＦnのライン期間におけるメモリ部１０の書き込み、読み出し動作を説明するタイミング図である。図３では、入力映像信号の２倍のフレームレイトに変換（倍速変換）し、出力する場合が例示されている。
【００３２】
フレームＦnでは第１フレームメモリ１０ａは書き込み制御がアクティブとなっており、メモリ制御部３０へ入力された信号データは、第１フレームメモリ１０ａに図３（ａ）で示すようにライン毎に書き込まれる（３０１）。一方、第２フレームメモリ１０ｂは書き込み動作を行わず、図３（ｇ）で示すように、ラインＬnの１／３期間に、前フレームＦn-1で格納された信号データのうち、映像信号データのラインＬn+1の読み出しを行なう（３０２）。
【００３３】
ここで、図３（ｇ）で第２フレームメモリから読み出される映像信号データは、図示しないラインメモリに一旦それぞれ格納される。その後、入力映像信号データＤinのラインＬnに同期して、図３（ｄ）で示すようにフレームＦn-1におけるラインＬn+1の映像信号データＤin-1として再生され（３０４）。映像信号データＤin-1は、補正アドレス決定部２０において入力映像信号データＤinとの信号レベル比較に利用される。
【００３４】
さらに第２フレームメモリ１０ｂは、図３（ｈ）で示すように、ラインＬnの２／３期間に、前フレームＦn-1で格納された信号データのラインＬm及びＬm+1の読み出しを行なう（３０３）。図３（ｈ）で第２フレームメモリから読み出される信号データも、一旦図示しないラインメモリにそれぞれ格納される。その後、１／２周期ずれたタイミングで図３（ｅ）で示すように前フレームＦn-1におけるラインＬm及びラインＬm+1の信号データとして再生され（３０５）、補正データ決定部４０、及び補正処理部５０へ出力される。ここで読み出す信号データは、前記補正アドレス決定部２０で決定した補正アドレスがＭＳＢあるいはＬＳＢに付加されたデータである。
【００３５】
次のフレームＦn+1では、第２フレームメモリ１０ｂの書き込み制御がアクティブ、第１フレームメモリ１０ａの読み出し制御がアクティブとなり、上記と同様の書き込み、読み出し制御が行われる。
【００３６】
以上、本実施形態における、メモリ制御部３０の動作について、図２及び図３を用いて説明したが、前述のような倍速変換に限られない。例えば、他のフレームレイト変換やＩＰ変換などを用いて、入力映像信号データＤinのフレームレイトと同一レイトで、１フレーム前の映像信号データＤin-1を読み出してもよい。
【００３７】
（補正アドレス決定部の動作）
次に、本実施形態における、補正アドレス決定部２０の動作について、図４を用いて説明する。補正アドレス決定部２０は、メモリ制御部３０で読み出した、１フレーム前の映像信号データＤin-1（例えば１２ビット）と、同じく１２ビットの入力映像信号データＤinとの信号レベル比較を行う。そして、比較結果を例えば４ビットの補正アドレスとして、補正アドレス付加部６０へと出力する。
【００３８】
より具体的には、補正アドレス決定部２０は、互いに隣接するフレームデータと補正アドレスとの対応関係を示すルックアップテーブルを参照して、補正アドレスを決定する。すなわち、補正アドレスを決定する為には、１フレーム前の映像信号データＤin-1と、入力映像信号データＤinとの組み合わせからなるルックアップテーブル（補正アドレス決定テーブルとよぶ）を使用する。図４は、本実施形態における補正アドレス決定テーブルを例示する図である。
【００３９】
補正アドレス決定テーブルとは、入力映像信号データＤinと１フレーム前の映像信号データＤin-1との組み合わせごとに、補正アドレスを規定するテーブルである。図４に例示する補正アドレス決定テーブルでは、１２ビットの入力映像信号データＤinの信号レベルがｎ個に分割され、また、１フレーム前の映像信号データＤin-1の信号レベルがｍ個に分割されている。そして、セルごとに４ビットの補正アドレス（計１６個）が割り当てられている。
【００４０】
後述するが、後段の補正データ決定部４０では、入力映像信号データのレベル毎に補正アドレスに応じた補正データを決定することができる。そのため、補正アドレス決定テーブルは、入力映像信号データＤinの信号レベルを分割したｎ個のブロック毎に１フレーム前の映像信号データＤin-1に応じた補正アドレスを割り当てると良い。例えば入力映像信号データＤinの信号レベルの分割数を１２８個とした時、１２８個のそれぞれに対して１フレーム前の映像信号データＤin-1に応じた１６個の補正アドレスを割り当てると良い。
【００４１】
また、分割時の信号レベル閾値はどのような値でも良く、例えばオーバードライブによる応答速度の改善効率が高い信号レベルに対して、分割数を多く割り当てるようにすることができる。これにより、信号レベルをきめ細かく適正に補正することが可能になる。
【００４２】
（補正データ決定部の動作）
次に、本実施形態における、補正データ決定部４０の動作について、図５を用いて説明する。補正データ決定部４０は、メモリ制御部３０から出力された１６ビットのデータに基づいて、オーバードライブ補正処理で使用する為の補正データ（例えば１２ビット）を生成する。ここで、１６ビットのデータとは、前述した通りメモリ制御部３０から出力される信号データであり、入力映像信号データＤinに対して１フレーム遅延した後、例えば倍速変換された信号（すなわち、Ｄin-1）である。具体的に補正データを決定する為には、１６ビットのデータに基づいて、１２ビットの映像信号データと４ビットの補正アドレスの組み合わせからなるテーブル（補正データ決定テーブルと呼ぶ）を使用する。すなわち、補正データ決定部４０は、フレームデータおよび補正アドレスと、補正データとの対応関係を示すルックアップテーブルを参照して、補正データを決定する。
【００４３】
図５は、本実施形態における補正データ決定テーブルの一例を示す図である。図５に示すように、補正データ決定テーブルとは、映像信号データと補正アドレスとの組み合わせごとに、補正データを規定するテーブルである。図５の例では、ｎ個に分割した１２ビットの映像信号データと、４ビットの補正アドレスの組み合わせからなるテーブルにおいて、一例として、１２ビットの補正データが割り当てられている。
【００４４】
ここで、１２ビットの映像信号データとは、前述した通り入力映像信号データＤinに対して１フレーム遅延した後、例えば倍速変換された信号である（すなわち、Ｄin-1）。そのため、１２ビットの映像信号データの分割数や分割時の信号レベル閾値は、補正アドレス決定テーブルで定めた入力映像信号データＤinの分割数や分割時の信号レベル閾値と同じであることが望ましい。
【００４５】
補正データは、後段の補正処理部５０おいて、映像信号データに対して加減算する数値であるため、正負の符号（１ビット）を有する。１２ビットの補正データに対してさらに１ビットの符号をつけて補正処理部５０へ出力してもよいし、補正データを１１ビットとし、１ビットの符号をつけて計１２ビットとして補正処理部５０へ出力してもよい。補正アドレス決定テーブル、及び補正データ決定テーブルは、ルックアップテーブルによって実現することができる。
【００４６】
（補正処理部の動作）
次に、本実施形態における補正処理部５０の動作について説明する。補正処理部５０は、補正データ決定部４０から出力される１２ビットの補正データを参照する。そして、メモリ制御部３０から出力される１６ビットのデータのうちの１２ビットの映像信号データに対して、応答速度を補正した１２ビットの出力映像信号データＤoutを生成する。具体的には、映像信号データに対して補正データを加減算することで、出力映像信号データＤoutを生成する。
【００４７】
例えば倍速変換を使用した場合は、倍速フレームレイトの映像信号に対して、最初の倍速フレームあるいは後の倍速フレームのいずれか一方のみで行うことが出来る。あるいはまた、映像信号データの補正を両方の倍速フレームで行うことも、あるいは行わないことも可能である。
【００４８】
上記のように、本実施形態の構成では、現フレームと直前のフレームとを比較して得られたデータだけでなく、直前のフレームのデータにも基づいて、映像信号に対して実際に加減算する値を決定する。このため、現フレームと直前のフレームとの比較から求められたデータのみから補正量を決定する構成よりも、オーバードライブ精度を向上させることができる。
【００４９】
また、本実施形態では、ルックアップテーブルを参照して補正アドレスと補正データを決定する。このため、本実施形態の構成によれば、補正アドレスおよび補正データを高速に決定することができる。
【００５０】
本実施形態では、オーバードライブ駆動のための映像信号レベルを入力映像信号のフレームレイトに同期して比較する液晶表示装置を説明した。本実施形態に係る構成では、映像信号レベルを比較して補正アドレスを決定し、補正アドレスと映像信号データの組み合わせによって補正データを決定する。このため、補正アドレスを書き込む為のフレームメモリ数の増加を抑えながらも、補正データのビット数（解像度）を増やすことができるため、オーバードライブ精度の向上が可能となる。
【００５１】
＜＜第２の実施形態＞＞
第１の実施形態では、補正データ決定テーブルを参照し、補正データを決定していた。これに対して、第２の実施形態では、補正データ決定テーブルを参照し、さらに２種類の補正基準データを生成した後に補間処理を行なう。これにより本実施形態の構成によれば、さらに精度良く補正データを決定することができる。
【００５２】
本発明の第２の実施形態である液晶表示装置の基本構成は、図１に示す第１の実施形態と同じである。このため、液晶表示装置の基本構成については説明を省略する。また、補正アドレスを決定する処理も第１実施形態と同様であるため、説明を省略する。
【００５３】
図６は、本実施形態における補正データ決定テーブルを説明する為の図であり、図７は、本実施形態における補正データの補間処理を説明する為の図である。本実施形態における補正データ決定テーブルは、図６に示すように、補正データに対する映像信号データの最適な代表値と補正アドレスの組み合わせからなる。
【００５４】
補正データ決定部４０は、メモリ制御部から出力された１２ビットの映像信号データ（ここではｄotとする）に最も近い２つの代表値（ｄs1,ｄs2、ただしｄs1＜ｄs2）を選択する。そして、それに対応した２つの補正基準データ（第１の補正基準データ（ｄh1）と第２の補正基準データ(ｄh2)）を求め、式（１）、式（２）により補正データ（ｄh）を算出する。（図７）
ｄh＝ｋ(ｄh2)＋(１−ｋ)ｄh1           (１)。
【００５５】
ｋ＝(ｄot−ｄs1)／(ｄs2−ｄs1)        (２)。
【００５６】
本実施形態における補正アドレス決定テーブルは、１フレーム前の映像信号データＤin-1の信号レベルを分割したｍ個の各ブロックに異なる補正アドレスを割り当てている。このため、同一のブロックに対しては入力映像信号データＤinの信号レベルがいくつであれ、同一の補正アドレスを割り当てることで、補正データ決定部４０の補間処理が行いやすくなる。
【００５７】
また、補正アドレス決定テーブルにおける補正アドレスの並び順を、補正データ決定部４０に記憶できる構成とすることで、補間処理の精度を向上することも可能である。また、補間処理はテーブルの構成や応答特性により部分的に行なうこととしても良い。
【００５８】
上記のように、本実施形態では、補正データ決定部４０は、フレームデータの代表値および補正アドレスと、補正データとの対応関係を示すルックアップテーブルを参照する。次に、メモリ部１０に格納されたフレームデータに最も近い２つの代表値と、補正アドレス決定部２０において決定された補正アドレスとにそれぞれ対応する、第１補正データおよび第２補正データを取得する。そして、当該第１補正データおよび第２補正データを補間して前記補正データを決定する。このため、本実施形態の構成によれば、フレームメモリのサイズを増加させずに、補正量をきめ細かく指定することができ、オーバードライブ精度をさらに向上させることが可能である。
【００５９】
本実施形態では、２つの補正基準データを補間し補正データを生成することで、例えば補正データ決定テーブルの分割数が少なく、テーブルが粗い場合などでも、滑らかな補間データを得ることができ、オーバードライブ精度を向上させることが可能である。
【００６０】
以上、２つの実施形態について説明をしたが、前述した実施形態において、本発明の要旨を逸脱しない範囲内で、種々の変更を行なってよい。
【００６１】
＜＜その他の実施形態＞＞
本発明の目的は、前述した実施形態の機能を実現するソフトウエアのプログラムコードをシステムあるいは装置で実行することによっても達成されることは言うまでもない。この場合、プログラムコード自体が前述した実施形態の機能を実現することとなり、そのプログラムコードは本発明の技術的範囲に含まれる。
【００６２】
プログラムコードは、例えば、コンピュータ読み取り可能な記録媒体に記録してシステムあるいは装置に供給することができる。そのシステムあるいは装置のコンピュータ（またはＣＰＵまたはＭＰＵ）は、記録媒体に格納されたプログラムコードを読み出し実行することによっても、本発明の目的を達成することができる。従って、そのプログラムコードを記憶した記録媒体も本発明の技術的範囲に含まれる。
【００６３】
プログラムコードを供給するための記録媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ、ＤＶＤなどを用いることができる。
【００６４】
なお、プログラムコードは、コンピュータが当該プログラムコードを読み出し実行することにより前述した実施形態の機能を実現するための、全ての要素を備えたものに限られない。即ち、プログラムコードには、コンピュータに組み込まれたソフトウェア及びハードウェアの少なくともいずれかと協働することにより目的を達成するプログラムコードも含まれる。
【００６５】
例えば、プログラムコードの指示に基づき、コンピュータ上で稼動しているＯＳなどが実際の処理の一部または全部を行い、その処理によって前述した実施形態の機能が実現される場合も、そのプログラムコードは本発明の技術的範囲に含まれる。ただし、ＯＳはオペレーティングシステム（Operating System）の略称である。
【００６６】
あるいは、例えば、プログラムコードの指示に基づき、コンピュータに挿入又は接続された機能拡張ボードや機能拡張ユニットに備わるＣＰＵなどが実際の処理の一部または全部を行い、その処理によって前述した実施形態の機能が実現される場合がある。このような場合も、そのプログラムコードは本発明の技術的範囲に含まれる。なお、機能拡張ボードや機能拡張ユニットは、それらが備えるメモリにプログラムコードを読み込み、実行することでこのような処理を行うことができる。
【００６７】
以上記述したように、上記の各実施形態によれば、オーバードライブ駆動のための映像信号レベルの比較を入力映像信号のフレームレイトに同期して行う構成において、フレームメモリ数の増加を抑えながらも、オーバードライブ精度の向上が可能となる。
【図面の簡単な説明】
【００６８】
【図１】液晶表示装置の概略ブロック図である。
【図２】メモリ制御部の動作を説明する為の図である。
【図３】メモリ制御部の動作を説明する為の図である。
【図４】補正アドレス決定テーブルを例示する図である。
【図５】補正データ決定テーブルの一例を示す図である。
【図６】補正データ決定テーブルの一例を示す図である。
【図７】補正データの補間処理を説明する為の図である。
【図８】入力映像信号と同一のフレームレイトでオーバードライブ駆動を行った場合の液晶駆動信号と液晶応答特性を例示する模式図である。
【図９】入力映像信号のフレームレイトに対して２倍のフレームレイトに変換し、変換後の初めのフィールドでオーバードライブ駆動を行った場合の液晶駆動信号と液晶応答特性を例示する模式図である。
【図１】
2009300786.tif 000003
【図２】
2009300786.tif 000004
【図３】
2009300786.tif 000005
【図４】
2009300786.tif 000006
【図５】
2009300786.tif 000007
【図６】
2009300786.tif 000008
【図７】
2009300786.tif 000009
【図８】
2009300786.tif 000010
【図９】
2009300786.tif 000011